(57)【要約】 【課題】            風呂を掃除する際の負担を軽減する事等により、風呂を掃除している人々の生活を向上させるものである。【解決手段】  主に風呂にマイコン等コンピュータで制御する事が出来るようにしたジェット水流装置等水を噴出する装置、ブラシ、ワイパー、モップ、スポンジ、洗剤を噴出する装置等を収納する事により、ボタン操作により自動で風呂を清掃する事が出来るようにする等する事により、主婦等の風呂を掃除している人々、高齢者、障害者等、風呂を掃除する事が大きな負担になる人々の生活を向上させる。【選択図】  図１
2007300977.tif 000002
【特許請求の範囲】
【請求項１】
特願２００５−３８１３３８の風呂にあるマイコン等コンピュータで制御出来るようにしたジェット水流装置等水を噴出する装置、ブラシ、ワイパー、スポンジ、モップ、洗剤を噴出する装置等の清掃に使用する装置を収納して、ボタン操作により自動で風呂を清掃することが出来るようにした可動する装置を縁の下に風呂の側面や底面として収納され、マイコン等コンピュータで制御することにより自動で清掃をする事ができる風呂。
【請求項２】
特願２００５−３８１３３８記載の風呂の可動する装置部分をマイコン等コンピュータで制御することにより自動で清掃をする事ができる風呂の組み合わされて風呂の側面、底面になる可動する装置部分に上記の清掃に使用する装置を収納して側面、底面、縁の一部分になっている可動する装置部分が組み合わされること、即ち特願２００５−３８１３３８記載の風呂の側面、底面になる可動する装置部分の一部として上記の清掃に使用する装置を収納した可動する装置部分とが組み合わされて、縁の下に風呂の側面や底面として収納され、マイコン等コンピュータで制御することにより自動で清掃をする事ができる風呂。
【請求項３】
特願２００５−３８１３３８記載の水を噴出する装置、ブラシ、ワイパー、スポンジ、洗剤を噴出する装置等の清掃に使用する装置を収納した組み合わされて風呂の側面、底面になる可動する装置部分をマイコン等コンピュータで制御することにより自動で清掃をする事ができる風呂の組み合わされて風呂の側面、底面になる可動する装置部分に上記の清掃に使用する装置を収納して側面、底面、縁の一部分になっている可動する装置部分が組み合わされること、即ち上記の清掃に使用する装置を収納した特願２００５−３８１３３８記載の風呂の側面、底面になる可動する装置部分の一部として上記の清掃に使用する装置を収納した可動する装置部分とが組み合わされて、縁の下に風呂の側面や底面として収納され、マイコン等コンピュータで制御することにより自動で清掃をする事ができる風呂。
【請求項４】
清掃に使用する装置のブラシやモップ等汚れをこする物に筒のようなブラシやモップ等汚れをこする物が回転するようなブラシやモップ等汚れをこする物を使用した請求項１記載の自動で清掃をする事ができる風呂。
【請求項５】
清掃に使用する装置のブラシやモップ等汚れをこする物に円盤のようなブラシやモップ等汚れをこする物が回転するようなブラシやモップ等汚れをこする物を使用した請求項１記載の自動で清掃をする事ができる風呂。
【請求項６】
コンピュータで制御出来るようにした入浴剤を選択して入れる装置を取り付けた請求項１記載の自動で清掃をする事ができる風呂。
【請求項７】
清掃に使用する装置のブラシやモップ等汚れをこする物の中に水や洗剤が出る部分を取り付けたブラシやモップ等汚れをこする物を使用した請求項１記載の自動で清掃をする事ができる風呂。
【請求項８】
清掃に使用する装置のブラシやモップ等汚れをこする物に筒のようなブラシやモップ等汚れをこする物が回転するようなブラシやモップ等汚れをこする物を使用した請求項３記載の自動で清掃をする事ができる風呂。
【請求項９】
清掃に使用する装置のブラシやモップ等汚れをこする物に円盤のようなブラシやモップ等汚れをこする物が回転するようなブラシやモップ等汚れをこする物を使用した請求項３記載の自動で清掃をする事ができる風呂。
【請求項１０】
コンピュータで制御出来るようにした入浴剤を選択して入れる装置を取り付けた請求項３記載の自動で清掃をする事ができる風呂。
【請求項１１】
清掃に使用する装置のブラシやモップ等汚れをこする物の中に水や洗剤が出る部分を取り付けたブラシやモップ等汚れをこする物を使用した請求項３記載の自動で清掃をする事ができる風呂。
【請求項１２】
コンピュータで制御出来るようにした乾燥機を取り付けた請求項１記載の自動で清掃をする事ができる風呂。
【請求項１３】
コンピュータで制御出来るようにした乾燥機を取り付けた請求項３記載の自動で清掃をする事ができる風呂。
【請求項１４】
特願２００５−３８１３３８記載の水を噴出する装置、ブラシ、ワイパー、スポンジ、洗剤を噴出する装置等の清掃に使用する装置を収納した組み合わされて風呂の側面、底面になる可動する装置部分が上下にも可動するようにした請求項１記載の自動で清掃をする事ができる風呂。
【請求項１５】
特願２００５−３８１３３８記載の水を噴出する装置、ブラシ、ワイパー、スポンジ、洗剤を噴出する装置等の清掃に使用する装置を収納した組み合わされて風呂の側面、底面になる可動する装置部分が上下にも可動するようにした請求項２記載の自動で清掃をする事ができる風呂。
【請求項１６】
特願２００５−３８１３３８記載の水を噴出する装置、ブラシ、ワイパー、スポンジ、洗剤を噴出する装置等の清掃に使用する装置を収納した組み合わされて風呂の側面、底面になる可動する装置部分が上下にも可動するようにした請求項３記載の自動で清掃をする事ができる風呂。
【発明の詳細な説明】
【技術分野】
【０００１】
本発明は、特願２００５−３８１３３８記載の風呂のマイコン等コンピュータで制御出来るようにしたジェット水流装置等水を噴出する装置、ブラシ、ワイパー、スポンジ、モップ等の清掃に使用する装置を収納して、ボタン操作により自動で風呂を清掃する事が出来るようにした装置を側面、底面にする風呂の可動する装置部分について、その可動する装置部分を縁の中、若しくは下に収納する自動で風呂を清掃する事が出来るようにした風呂である。
【背景技術】
【０００２】
従来は、風呂を掃除する際には、主に洗剤を撒いて、たわしやブラシ等でこすり、水やお湯でそれをながしてするものであった。これらの作業は毎日の様に頻繁に掃除するものや高齢者夫婦や高齢者で一人暮らしをする者、障害者等には大きな負担であった。
【発明の開示】
【発明が解決しようとする課題】
【０００３】
風呂を掃除する際に主婦の負担を軽減する事ができるだけでなく、高齢者夫婦のみの家庭や高齢者で一人暮らしの家庭においてもその負担を軽減する事ができる。これは、これから高齢化社会を迎えるにあたって大きな課題であると言える。又、障害者等自分で掃除をする事が困難である人々についても同様である。
【課題を解決するための手段】
【０００４】
風呂にマイコン等コンピュータで制御出来るようにしたジェット水流装置等水を噴出する装置、ブラシ、ワイパー、スポンジ、モップ等の清掃に使用する装置を取り付けて、ボタン操作により自動で風呂を清掃する事が出来るようにする。
【発明の効果】
【０００５】
風呂を掃除する際に主婦の負担を軽減する事ができるだけでなく、高齢者夫婦のみの家庭や高齢者で一人暮らしの家庭においてもその負担を軽減する事ができる。これは、これから高齢化社会を迎えるにあたって大きな効果であると言える。又、障害者等自分で掃除をする事が困難である人々についても同様である。
【発明を実施するための最良の形態】
【０００６】
本発明は、特願２００５−３８１３３８の風呂にマイコン等コンピュータで制御する事が出来るようにしたジェット水流装置等（特願２００５−３８１３３８の図１−３）を収納してボタン操作により自動で風呂を清掃する事が出来るようにしたものが側面、底面になる風呂の可動する装置部分又は、そのような清掃に使用する装置を縁の中、若しくは下に収納する風呂である。又、マイコン等コンピュータで制御する物としてブラシ、ワイパー、モップ等（特願２００５−３８１３３８の図１−４）を取り付けたり、洗剤や熱湯を噴射する装置、若しくはブラシ等の中に水や洗剤が出る部分を取り付けたりブラシを細かく振動するようにしておけば、さらにきれいに清掃をする事ができる。清掃をするだけではなく、湯を沸かしたり、何種類かの中から入浴剤を選択して入れておく事まで自動化できるし、携帯電話等により外出先からそれらの操作も出来る。
又、清掃に使用する水については、水道の蛇口等からホースでつないでおいたり、タンクにためておいたりするだけでなく風呂の水を再利用する装置を利用することも出来る。
【０００７】
又、可動する装置部分（特願２００５−３８１３３８の図１では風呂の側面、底面、になっている。又、その中にジェット水流装置等水を噴出する装置、ブラシ、ワイパー、スポンジ、モップ、洗剤や熱湯を噴出する装置等の清掃に使う機械等が収納されている。）の隙間を塞ぐには、装置の左右（若しくは上下、上下左右）にゴム等が押し付けられたり、栓がされたりするようにすれば良い（特願２００５−３８１３３８の図１−６）。上記のような清掃に使用する装置、ゴム等で隙間を塞ぐための装置を中で煮沸や洗浄しても良い。（図１、２、及び３では、２としてゴム等で隙間を塞ぐための装置になっている。）又、縁の中、若しくは下にそれらの装置を収納しても良い。
【０００８】
可動する装置部分を上下にも動くようにすれば、清掃をするのに便利になる。（図２）
【０００９】
図１、２では、装置が縦長にされているが、それらの装置（側面、底面になっている。）は、横長や斜めに分割されても良い。（図３）
【００１０】
縁や底面にできる凸凹には、滑り止めの工夫もできるし、そのようにすれば老人等が転倒してしまうような事故を防止する効果もある。又、風呂の蓋が自動、又はボタンで折りたたまれたり、ちじんだりしたりして開閉するようにして取り付けても良いし、縁、ゴム等で隙間を塞ぐための装置等が側面や底面になる装置の中に折りたたまれたり、引っ込んだりして中で清掃をして、清掃が終わったら元に戻るようにもできる。又、収納される装置にスポンジ等を使用した絞りながら擦る装置を使用する事、乾燥機を付ける事によりほぼ完全にボタンを押すだけで自動で清掃する事ができる。
【図面の簡単な説明】
【００１１】
【図１】自動風呂の側面の断面図
【図２】自動風呂の側面の断面図
【図３】自動風呂の側面の断面図
【符号の説明】
【００１２】
１．           
縁
２．           
ゴム等で隙間を塞ぐための装置
３．           
ブラシやモップ等
４．           
清掃に使用する装置を収納した可動する装置部分
５．           
風呂の底面、側面になる可動する装置部分
６．           
レール等に沿って上下に動くリフト
【図１】
2007300977.tif 000003
【図２】
2007300977.tif 000004
【図３】
2007300977.tif 000005
【手続補正書】
【提出日】平成18年6月6日(2006.6.6)
【手続補正１】
【補正対象書類名】明細書
【補正対象項目名】全文
【補正方法】変更
【補正の内容】
【発明の詳細な説明】
【技術分野】
【０００１】
本発明は、特願２００５−３８１３３８記載の風呂のマイコン等コンピュータで制御出来るようにしたジェット水流装置等水を噴出する装置、ブラシ、ワイパー、スポンジ、モップ等の清掃に使用する装置を収納して、ボタン操作により自動で風呂を清掃する事が出来るようにした装置を側面、底面にする風呂の可動する装置部分について、その可動する装置部分を縁の中、若しくは下に収納する自動で風呂を清掃する事が出来るようにした風呂である。
【背景技術】
【０００２】
従来は、風呂を掃除する際には、主に洗剤を撒いて、たわしやブラシ等でこすり、水やお湯でそれをながしてするものであった。これらの作業は毎日の様に頻繁に掃除するものや高齢者夫婦や高齢者で一人暮らしをする者、障害者等には大きな負担であった。
【発明の開示】
【発明が解決しようとする課題】
【０００３】
風呂を掃除する際に主婦の負担を軽減する事ができるだけでなく、高齢者夫婦のみの家庭や高齢者で一人暮らしの家庭においてもその負担を軽減する事ができる。これは、これから高齢化社会を迎えるにあたって大きな課題であると言える。又、障害者等自分で掃除をする事が困難である人々についても同様である。
【課題を解決するための手段】
【０００４】
風呂にマイコン等コンピュータで制御出来るようにしたジェット水流装置等水を噴出する装置、ブラシ、ワイパー、スポンジ、モップ等の清掃に使用する装置を取り付けて、ボタン操作により自動で風呂を清掃する事が出来るようにする。
【発明の効果】
【０００５】
風呂を掃除する際に主婦の負担を軽減する事ができるだけでなく、高齢者夫婦のみの家庭や高齢者で一人暮らしの家庭においてもその負担を軽減する事ができる。これは、これから高齢化社会を迎えるにあたって大きな効果であると言える。又、障害者等自分で掃除をする事が困難である人々についても同様である。
【発明を実施するための最良の形態】
【０００６】
本発明は、特願２００５−３８１３３８の風呂にマイコン等コンピュータで制御する事が出来るようにしたジェット水流装置等（特願２００５−３８１３３８の図１−３）を収納してボタン操作により自動で風呂を清掃する事が出来るようにしたものが側面、底面になる風呂の可動する装置部分又は、そのような清掃に使用する装置を縁の中、若しくは下に収納する風呂である。又、マイコン等コンピュータで制御する物としてブラシ、ワイパー、モップ等（特願２００５−３８１３３８の図１−４）を取り付けたり、洗剤や熱湯を噴射する装置、若しくはブラシ等の中に水や洗剤が出る部分を取り付けたりブラシを細かく振動するようにしておけば、さらにきれいに清掃をする事ができる。清掃をするだけではなく、湯を沸かしたり、何種類かの中から入浴剤を選択して入れておく事まで自動化できるし、携帯電話等により外出先からそれらの操作も出来る。
又、清掃に使用する水については、水道の蛇口等からホースでつないでおいたり、タンクにためておいたりするだけでなく風呂の水を再利用する装置を利用することも出来る。
【０００７】
又、可動する装置部分（特願２００５−３８１３３８の図１では風呂の側面、底面、になっている。又、その中にジェット水流装置等水を噴出する装置、ブラシ、ワイパー、スポンジ、モップ、洗剤や熱湯を噴出する装置等の清掃に使う機械等が収納されている。）の隙間を塞ぐには、装置の左右（若しくは上下、上下左右）にゴム等が押し付けられたり、栓がされたりするようにすれば良い（特願２００５−３８１３３８の図１−６）。上記のような清掃に使用する装置、ゴム等で隙間を塞ぐための装置を中で煮沸や洗浄しても良い。（図１、２、及び３では、２としてゴム等で隙間を塞ぐための装置になっている。）又、縁の中、若しくは下にそれらの装置を収納しても良い。
【０００８】
可動する装置部分が前に出て、収納された清掃に使用する装置で横に並んでいる引っ込んでいる可動する装置部分の表面（底面や側面になっている）や風呂の底面（底面がその装置でできてないのであれば、可動する装置部分に下も洗える装置を収納してその可動する装置部分をリフト等（図２）で大きく前に動くようにして。）、又は一部分になっている可動する装置部分がその周囲を清掃する事になるのだが、可動する装置部分を上下にも動くようにすれば（図２）、縁も清掃する事ができ、ほぼすべてをボタンを押すだけで自動で清掃をする事が出来るようになる。
【０００９】
図では、縁の下で風呂が縦長や横長に分割されているが（装置（側面、底面になっている。）、又は装置（側面、底面の一部分になっている。）として）、それらは、斜めに分割されても良いし、それらの組み合わせでも良いし、その他いろいろな形にしても良い。
【００１０】
縁や底面にできる凸凹には、滑り止めの工夫もできるし、そのようにすれば老人等が転倒してしまうような事故を防止する効果もある。又、風呂の蓋が自動、又はボタンで折りたたまれたり、ちじんだりしたりして開閉するようにして取り付けても良いし、縁、ゴム等で隙間を塞ぐための装置等が側面や底面になる装置の中に折りたたまれたり、引っ込んだりして中で清掃をして、清掃が終わったら元に戻るようにもできる。又、収納される装置にスポンジ等を使用した絞りながら擦る装置を使用する事、乾燥機を付ける事によりほぼ完全にボタンを押すだけで自動で清掃する事ができる。
【図面の簡単な説明】
【００１１】
【図１】自動風呂の側面の断面図
【図２】自動風呂の側面の断面図
【図３】自動風呂の側面の断面図
【符号の説明】
【００１２】
１．           
縁
２．           
ゴム等で隙間を塞ぐための装置
３．           
ブラシやモップ等
４．           
清掃に使用する装置を収納した可動する装置部分
５．           
風呂の底面、側面になる可動する装置部分
６．           
レール等に沿って上下に動くリフト
【手続補正２】
【補正対象書類名】特許請求の範囲
【補正対象項目名】全文
【補正方法】変更
【補正の内容】
【特許請求の範囲】
【請求項１】
特願２００５−３８１３３８記載のマイコン等コンピュータで制御出来るようにしたジェット水流装置等水を噴出する装置、ブラシ、ワイパー、スポンジ、モップ、洗剤を噴出する装置等の清掃に使用する装置を収納して、ボタン操作により自動で清掃することが出来るようにした風呂の可動する装置を縁の下に風呂の側面や底面として収納され、マイコン等コンピュータで制御することにより自動で清掃をする事ができる風呂。
【請求項２】
特願２００５−３８１３３８記載の可動する装置部分をマイコン等コンピュータで制御することにより自動で清掃をする事ができる風呂の組み合わされて風呂の側面、底面になる可動する装置部分に上記の清掃に使用する装置を収納して側面、底面、縁の一部分になっている可動する装置部分が組み合わされること、即ち特願２００５−３８１３３８記載の風呂の側面、底面になる可動する装置部分の一部として上記の清掃に使用する装置を収納した可動する装置部分とが組み合わされて、縁の下に風呂の側面や底面として収納され、マイコン等コンピュータで制御することにより自動で清掃をする事ができる風呂。
【請求項３】
特願２００５−３８１３３８記載の水を噴出する装置、ブラシ、ワイパー、スポンジ、洗剤を噴出する装置等の清掃に使用する装置を収納した組み合わされて風呂の側面、底面になる可動する装置部分をマイコン等コンピュータで制御することにより自動で清掃をする事ができる風呂の組み合わされて風呂の側面、底面になる可動する装置部分に上記の清掃に使用する装置を収納して側面、底面、縁の一部分になっている可動する装置部分が組み合わされること、即ち上記の清掃に使用する装置を収納した特願２００５−３８１３３８記載の風呂の側面、底面になる可動する装置部分の一部として上記の清掃に使用する装置を収納した可動する装置部分とが組み合わされて、縁の下に風呂の側面や底面として収納され、マイコン等コンピュータで制御することにより自動で清掃をする事ができる風呂。
【請求項４】
清掃に使用する装置のブラシやモップ等汚れをこする物に筒のようなブラシやモップ等汚れをこする物が回転するようなブラシやモップ等汚れをこする物を使用した請求項１記載の自動で清掃をする事ができる風呂。
【請求項５】
清掃に使用する装置のブラシやモップ等汚れをこする物に円盤のようなブラシやモップ等汚れをこする物が回転するようなブラシやモップ等汚れをこする物を使用した請求項１記載の自動で清掃をする事ができる風呂。
【請求項６】
コンピュータで制御出来るようにした入浴剤を選択して入れる装置を取り付けた請求項１記載の自動で清掃をする事ができる風呂。
【請求項７】
清掃に使用する装置のブラシやモップ等汚れをこする物の中に水や洗剤が出る部分を取り付けたブラシやモップ等汚れをこする物を使用した請求項１記載の自動で清掃をする事ができる風呂。
【請求項８】
清掃に使用する装置のブラシやモップ等汚れをこする物に筒のようなブラシやモップ等汚れをこする物が回転するようなブラシやモップ等汚れをこする物を使用した請求項３記載の自動で清掃をする事ができる風呂。
【請求項９】
清掃に使用する装置のブラシやモップ等汚れをこする物に円盤のようなブラシやモップ等汚れをこする物が回転するようなブラシやモップ等汚れをこする物を使用した請求項３記載の自動で清掃をする事ができる風呂。
【請求項１０】
コンピュータで制御出来るようにした入浴剤を選択して入れる装置を取り付けた請求項３記載の自動で清掃をする事ができる風呂。
【請求項１１】
清掃に使用する装置のブラシやモップ等汚れをこする物の中に水や洗剤が出る部分を取り付けたブラシやモップ等汚れをこする物を使用した請求項３記載の自動で清掃をする事ができる風呂。
【請求項１２】
コンピュータで制御出来るようにした乾燥機を取り付けた請求項１記載の自動で清掃をする事ができる風呂。
【請求項１３】
コンピュータで制御出来るようにした乾燥機を取り付けた請求項３記載の自動で清掃をする事ができる風呂。
【請求項１４】
水を噴出する装置、ブラシ、ワイパー、スポンジ、洗剤を噴出する装置等の清掃に使用する装置を収納した組み合わされて風呂の側面、底面になる可動する装置部分が上下にも可動するようにした請求項１記載の自動で清掃をする事ができる風呂。
【請求項１５】
水を噴出する装置、ブラシ、ワイパー、スポンジ、洗剤を噴出する装置等の清掃に使用する装置を収納した組み合わされて風呂の側面、底面になる可動する装置部分が上下にも可動するようにした請求項２記載の自動で清掃をする事ができる風呂。
【請求項１６】
水を噴出する装置、ブラシ、ワイパー、スポンジ、洗剤を噴出する装置等の清掃に使用する装置を収納した組み合わされて風呂の側面、底面になる可動する装置部分が上下にも可動するようにした請求項３記載の自動で清掃をする事ができる風呂。
【手続補正書】
【提出日】平成19年6月1日(2007.6.1)
【手続補正１】
【補正対象書類名】明細書
【補正対象項目名】全文
【補正方法】変更
【補正の内容】
【発明の詳細な説明】
【技術分野】
【０００１】
本発明は、マイコン等コンピュータで制御出来るようにしたジェット水流装置等水を噴出する装置、ブラシ、ワイパー、スポンジ、モップ等の清掃に使用する装置を収納して、ボタン操作により自動で風呂を清掃する事が出来るようにした装置を縁の中、若しくは下に風呂の側面の一部として収納する自動で風呂を清掃する事が出来るようにした風呂である。
【背景技術】
【０００２】
従来は、風呂を掃除する際には、主に洗剤を撒いて、たわしやブラシ等でこすり、水やお湯でそれをながしてするものであった。これらの作業は毎日の様に頻繁に掃除するものや高齢者夫婦や高齢者で一人暮らしをする者、障害者等には大きな負担であった。
【発明の開示】
【発明が解決しようとする課題】
【０００３】
風呂を掃除する際に主婦の負担を軽減する事ができるだけでなく、高齢者夫婦のみの家庭や高齢者で一人暮らしの家庭においてもその負担を軽減する事ができる。これは、これから高齢化社会を迎えるにあたって大きな課題であると言える。又、障害者等自分で掃除をする事が困難である人々についても同様である。
【課題を解決するための手段】
【０００４】
風呂にマイコン等コンピュータで制御出来るようにしたジェット水流装置等水を噴出する装置、ブラシ、ワイパー、スポンジ、モップ等の清掃に使用する装置を取り付けて、ボタン操作により自動で風呂を清掃する事が出来るようにする。
【発明の効果】
【０００５】
風呂を掃除する際に主婦の負担を軽減する事ができるだけでなく、高齢者夫婦のみの家庭や高齢者で一人暮らしの家庭においてもその負担を軽減する事ができる。これは、これから高齢化社会を迎えるにあたって大きな効果であると言える。又、障害者等自分で掃除をする事が困難である人々についても同様である。
【発明を実施するための最良の形態】
【０００６】
本発明は、マイコン等コンピュータで制御する事が出来るようにしたジェット水流装置等を使用してボタン操作により自動で風呂を清掃する事が出来るようにし（清掃に使用する機械を収納した動く装置（図１−５、２−５，３−５）が前に出たりして周囲を清掃する。）、そのような清掃に使用する機器を収納した動く装置を縁の中、若しくは下に風呂の側面の一部として収納する風呂である（図３−５）。又、マイコン等コンピュータで制御する物としてブラシ、ワイパー、モップ等を取り付けたり、洗剤や熱湯を噴射する装置、若しくはブラシ等の中に水や洗剤が出る部分を取り付けたりブラシを細かく振動するようにしておけば、さらにきれいに清掃をする事ができる。清掃をするだけではなく、湯を沸かしたり、何種類かの中から入浴剤を選択して入れておく事まで自動化できるし、携帯電話等により外出先からそれらの操作も出来る。
又、清掃に使用する水については、水道の蛇口等からホースでつないでおいたり、タンクにためておいたりするだけでなく風呂の水を再利用する装置を利用することも出来る。
【０００７】
又、隙間を塞ぐには、装置の左右（若しくは上下、上下左右）にゴム等が押し付けられたり、栓がされたりするようにすれば良い（図１−２、２−２）。上記のような清掃に使用する装置、ゴム等で隙間を塞ぐための装置を中で煮沸や洗浄しても良い。又、縁の中、若しくは下にそれらの装置を収納しても良い。
【０００８】
清掃に使用する機器を収納した動く装置（図１−５、２−５，３−５）は横にいくつか並んで側面になっていて、それが前に出て風呂の側面（隣の前に出ていない清掃に使用する機器を収納した動く装置の風呂の側面になっている表面）、底面等、その周囲を清掃に使用する機器を収納した動く装置（図１−５、２−５，３−５）に収納された清掃に使用する装置（図１−４、２−４，３−４）で清掃する。
清掃に使用する機器を収納した動く装置を上下にも動くようにすれば（図２）、縁も清掃する事ができ、ほぼすべてをボタンを押すだけで自動で清掃をする事が出来るようになる。
【０００９】
又、風呂の蓋が自動、又はボタンで折りたたまれたり、ちじんだりしたりして開閉するようにして取り付けても良い。又、収納される装置にスポンジ等を使用した絞りながら擦る装置を使用する事、乾燥機を付ける事によりほぼ完全にボタンを押すだけで自動で清掃する事ができる。
【図面の簡単な説明】
【００１０】
【図１】自動風呂の側面の断面図
【図２】自動風呂の側面の断面図
【図３】自動風呂の側面の正面（内側）
【符号の説明】
【００１１】
１．           
縁
２．           
ゴム等で隙間を塞ぐための装置
３．           
ブラシやモップ等
４．           
清掃に使用する機器を収納した動く装置
５．           
風呂の底面、側面になる動く装置
６．                                         
レールに沿って上下に動くリフト
【手続補正２】
【補正対象書類名】図面
【補正対象項目名】全図
【補正方法】変更
【補正の内容】
【図１】
2007300977.tif 000006
【図２】
2007300977.tif 000007
【図３】
2007300977.tif 000008
【手続補正３】
【補正対象書類名】特許請求の範囲
【補正対象項目名】全文
【補正方法】変更
【補正の内容】
【特許請求の範囲】
【請求項１】
マイコン等コンピュータで制御出来るようにしたジェット水流装置等水を噴出する装置、ブラシ、ワイパー、スポンジ、モップ、洗剤を噴出する装置等の清掃に使用する装置を収納した装置を縁の下に並べて風呂の側面として収納しマイコン等コンピュータでそれを動かす事により自動で清掃をする事ができる風呂。
【請求項２】
清掃に使用する装置のブラシやモップ等汚れをこする物に筒のようなブラシやモップ等汚れをこする物が回転するようなブラシやモップ等汚れをこする物を使用した請求項１記載の自動で清掃をする事ができる風呂。
【請求項３】
清掃に使用する装置のブラシやモップ等汚れをこする物に円盤のようなブラシやモップ等汚れをこする物が回転するようなブラシやモップ等汚れをこする物を使用した請求項１記載の自動で清掃をする事ができる風呂。
【請求項４】
コンピュータで制御出来るようにした入浴剤を選択して入れる装置を取り付けた請求項１記載の自動で清掃をする事ができる風呂。
【請求項５】
清掃に使用する装置のブラシやモップ等汚れをこする物の中に水や洗剤が出る部分を取り付けたブラシやモップ等汚れをこする物を使用した請求項１記載の自動で清掃をする事ができる風呂。
【請求項６】
コンピュータで制御出来るようにした乾燥機を取り付けた請求項１記載の自動で清掃をする事ができる風呂。